(57)【要約】【課題】施工が容易であると共にスクリーンの円滑な開閉を実現でき、尚かつ手動操作でも操作位置の自由度を高める。【解決手段】スクリーン２と該スクリーン２を巻き取り可能な巻取軸３とを有する巻取本体部４と、スクリーン２の自由端５を保持して巻取軸３の回転に連動して摺動させるルーフガイド部６と、スクリーン２の自由端５を摺動させることによりスクリーン２を開閉させる操作部７とを備えるロールスクリーン装置１において、巻取本体部４とルーフガイド部６と操作部７とはそれぞれユニット化したものであると共に、各部を互いに組み付けることにより全体が完成する。【選択図】　　　　　図１
2004052460.tif 000002
【特許請求の範囲】
【請求項１】
スクリーンと該スクリーンを巻き取り可能な巻取軸とを有する巻取本体部と、前記スクリーンの自由端を保持して前記巻取軸の回転に連動して摺動させるルーフガイド部と、前記スクリーンの自由端を摺動させることにより前記スクリーンを開閉させる操作部とを備えるロールスクリーン装置において、前記巻取本体部と前記ルーフガイド部と前記操作部とはそれぞれユニット化したものであると共に、各部を互いに組み付けることにより全体が完成することを特徴とするロールスクリーン装置。
【請求項２】
前記ルーフガイド部は、前記操作部の駆動力によって前記スクリーンの開閉方向に沿って摺動可能であると共に前記スクリーンの自由端が取り付けられ、尚かつ摺動により前記スクリーンを開閉するベルトを備えることを特徴とする請求項１記載のロールスクリーン装置。
【請求項３】
前記ルーフガイド部は、前記スクリーンの開閉方向に沿って設けられたレールと、前記スクリーンの自由端が取り付けられると共に前記レールに車輪を介して案内されるスライダと、前記操作部の駆動力によって前記スクリーンの開閉方向に沿って摺動可能であると共に前記スライダが取り付けられ、尚かつ摺動により前記スクリーンを開閉する索状部材とを備えることを特徴とする請求項１記載のロールスクリーン装置。
【請求項４】
前記操作部は室内側および室外側のいずれにも取付可能であることを特徴とする請求項１から３までのいずれか記載のロールスクリーン装置。
【発明の詳細な説明】
【０００１】
【発明の属する技術分野】
本発明は、テラスやサンルーム等の屋根に日除け等のために搭載するロールスクリーン装置に関する。更に詳述すると、本発明はロールスクリーン装置の構造に関する。
【０００２】
【従来の技術】
この種のロールスクリーン装置１００としては、図４に示すようにスクリーン１０１と、該スクリーン１０１を巻き取り可能な巻取軸１０２と、スクリーン１０１の自由端１０３を保持して巻取軸１０２の回転に連動して摺動させるルーフガイドとを備えたものがある。巻取軸１０２の回転とスクリーン１０１の自由端１０３の摺動とを連動させる機構は、巻取軸１０２に同軸に取り付けられた駆動側プーリ１０４と、ルーフガイドの先端部に設けられた従動側プーリ１０５と、一端がスクリーン１０１の自由端１０３に固定されると共に他端が駆動側プーリ１０４に固定され、尚且つ中間部が従動側プーリ１０５に掛けられたワイヤ１０６とを備えている。また、この機構はスクリーン１０１の左右両側に設けられている。
【０００３】
そして、巻取軸１０２が手動あるいは電動で直接回転されることにより駆動側プーリ１０４が回転し、スクリーン１０１およびワイヤ１０６があたかも１本の環のように駆動側プーリ１０４および従動側プーリ１０５の周りを回転する。これにより、スクリーン１０１の自由端１０３が摺動してスクリーン１０１が開閉される。また、巻取軸１０２を手動で回転させる機構の場合、巻取軸１０２の同軸のスプロケット等に巻き回した操作ワイヤ１０７を引いて回転させることにより巻取軸１０２を回転させる。
【０００４】
【発明が解決しようとする課題】
しかしながら、上述したロールスクリーン装置１００では、巻取軸１０２を直接回転させているので、ロールスクリーン装置１００の施工時にワイヤ１０６を張り込まなければならず、施工が煩雑になってしまい施工性が著しく悪い。
【０００５】
また、巻取軸１０２とスクリーン１０１の自由端１０３とに従動側プーリ１０５を経由するワイヤ１０６を張っているので、スクリーンの摺動に大きな荷重が掛かったとき等にワイヤ１０６と従動側プーリ１０５の滑りを生じ易く、これによりスクリーン１０１の両側のワイヤ１０６の摺動がずれてしまうことがある。この場合、スクリーン１０１の自由端１０３が斜めになって捩れてしまい、スクリーン１０１の円滑な開閉に支障を来たしてしまう。
【０００６】
さらに、巻取軸１０２を手動で回転させる機構の場合、操作ワイヤ１０７は巻取軸１０２の同軸上に巻かれているので、操作ワイヤ１０７の設置位置が巻取軸１０２の近傍になってしまう。このため、例えば巻取軸１０２が室内にある場合に操作ワイヤ１０７を室外に設けることは困難であった。
【０００７】
そこで、本発明は、施工が容易であると共にスクリーンの円滑な開閉を実現でき、尚かつ手動操作でも操作位置の自由度を高められるロールスクリーン装置を提供することを目的とする。
【０００８】
【課題を解決するための手段】
かかる目的を達成するため、請求項１記載の発明は、スクリーンと該スクリーンを巻き取り可能な巻取軸とを有する巻取本体部と、スクリーンの自由端を保持して巻取軸の回転に連動して摺動させるルーフガイド部と、スクリーンの自由端を摺動させることによりスクリーンを開閉させる操作部とを備えるロールスクリーン装置において、巻取本体部とルーフガイド部と操作部とはそれぞれユニット化したものであると共に、各部を互いに組み付けることにより全体が完成するようにしている。
【０００９】
したがって、巻取本体部とルーフガイド部と操作部とが各々ユニット化されているので、ロールスクリーン装置の施工時に各ユニットを結合させるという比較的簡易な作業で装置を完成させることができる。このため、従来のような煩雑なワイヤの張り込み作業が不要になるので、ロールスクリーン装置の施工性を高めることができる。
【００１０】
また、請求項２記載の発明は、請求項１記載のロールスクリーン装置において、ルーフガイド部は、操作部の駆動力によってスクリーンの開閉方向に沿って摺動可能であると共にスクリーンの自由端が取り付けられ、尚かつ摺動によりスクリーンを開閉するベルトを備えるようにしている。
【００１１】
したがって、操作部とスクリーンの自由端とをベルトにより連結しているので、従来のようにワイヤおよびプーリを使用する場合に比べて滑り量を小さくすることができる。このため、スクリーンの左右両側にベルトを設けたときにスクリーンの自由端が斜めになってしまうことを防止して、スクリーンの円滑な開閉を実現できる。
【００１２】
さらに、請求項３記載の発明は、請求項１記載のロールスクリーン装置において、ルーフガイド部は、スクリーンの開閉方向に沿って設けられたレールと、スクリーンの自由端が取り付けられると共にレールに車輪を介して案内されるスライダと、操作部の駆動力によってスクリーンの開閉方向に沿って摺動可能であると共にスライダが取り付けられ、尚かつ摺動によりスクリーンを開閉する索状部材とを備えるようにしている。
【００１３】
したがって、ルーフガイド内に溜まった砂や埃はレールの脇に落ちるので、車輪とレールとの間に入って来ることは殆ど無く、スライダの移動は常に円滑になる。このため、砂や埃の多い場所で使用しても、これらによるスライダの動作妨害を防止してスクリーンの開閉をスムーズに行うことができる。これにより、スクリーンの左右両側のスライダの摩擦抵抗を低減するので、スクリーンを軽い力で開閉できるようになると共に左右のスライダ同士のずれによるスクリーンの捩れを防止できる。
【００１４】
そして、請求項４記載の発明は、請求項１から３までのいずれか記載のロールスクリーン装置において、操作部は室内側および室外側のいずれにも取付可能であるようにしている。したがって、操作部を室内側に取り付けることにより室内から操作できるようになると共に、室外側に取り付けることにより室外で操作できるようになる。
【００１５】
【発明の実施の形態】
以下、本発明の構成を図面に示す最良の形態に基づいて詳細に説明する。
【００１６】
図１から図３に本発明に係るロールスクリーン装置１の実施形態の一例を示している。このロールスクリーン装置１は、スクリーン２と該スクリーン２を巻き取り可能な巻取軸３とを有する巻取本体部４と、スクリーン２の自由端５を保持して巻取軸３の回転に連動して摺動させるルーフガイド部６と、スクリーン２の自由端５を摺動させることによりスクリーン２を開閉させる操作部７とを備えるものとしている。そして、巻取本体部４とルーフガイド部６と操作部７とはそれぞれユニット化したものであると共に、各部を互いに組み付けることによりロールスクリーン装置１としての全体が完成するようにしている。このため、ロールスクリーン装置１の施工時に巻取本体部４とルーフガイド部６と操作部７とを結合させるという比較的簡易な作業で装置を完成させることができる。よって、従来のような煩雑なワイヤ１０６の張り込み作業が不要になるので、ロールスクリーン装置１の施工性を高めることができる。
【００１７】
そして、ルーフガイド部６は、操作部７の駆動力によってスクリーン２の開閉方向に沿って摺動可能なベルト８を備えている。このベルト８にはスクリーン２の自由端５が取り付けられていて、摺動によりスクリーン２を開閉する。このため、従来のようにワイヤ１０６およびプーリ１０５を使用して操作部７とスクリーン２の自由端５とを連結する場合に比べて滑り量を小さくすることができる。よって、スクリーン２の左右両側にベルト８を設けたときにスクリーン２の自由端５が斜めになってしまうことを防止して、スクリーン２の円滑な開閉を実現できる。
【００１８】
ルーフガイド部６はスクリーン２の左右両側に設けられている。各ルーフガイド部６は、ベルト８を回転可能に支持する１対のローラ９，１０を備えている。ベルト８は１対のローラ９，１０に張り渡されて支持されている。ベルト８としてはタイミングベルト８を使用すると共にローラ９，１０としては歯付きのものを使用することが好ましい。この場合、ベルト８とローラ９，１０との滑りを無くすことができる。但し、ベルト８とローラ９，１０としては歯付きのものに限られず、平ベルトと歯無しのローラを使用しても良い。
【００１９】
１対のローラ９，１０のうちの巻取本体部４に近い方は駆動側ローラ９であり、歯車列１１を介して巻取軸３に連結されている。歯車列１１は、駆動側ローラ９と同軸に設けられた駆動側ローラギア１２と、巻取軸３と同軸に設けられた巻取軸ギア１３と、これらのギア１２，１３の間に設けられた中間ギア１４とを備えている。これにより、各ローラ９，１０およびベルト８と巻取軸３とが連動する。また、この駆動側ローラ９には操作部７が取り付けられている。このため、本実施形態では操作部７は室外に配置されることになる。
【００２０】
操作部７は、左右の駆動側ローラ９の回転軸に嵌合して一体回転する駆動軸１５と、環状の操作紐１６を引っ張って回転させることにより駆動軸１５を回転させる回転機構１７とを備えている。この回転機構１７は例えば傘歯歯車やウォームギヤを使用することにより操作紐１６の回転を駆動軸１５の回転に変換する。
【００２１】
本実施形態では、ルーフガイド部６は、スクリーン２の開閉方向に沿って設けられたレール１８と、スクリーン２の自由端５が取り付けられると共にレール１８に車輪１９を介して案内されるスライダ２０とを備えている。そして、スライダ２０はベルト８に固定されている。よって、ルーフガイド部６内に溜まった砂２１や埃はレール１８の脇に落ちるので、車輪１９とレール１８との間に入って来ることは殆ど無く、スライダ２０の移動は円滑に維持される。このため、屋外で砂や埃の多い場所で使用してもスクリーン２の開閉をスムーズに行うことができる。これにより、スクリーン２の左右両側のスライダ２０の摩擦抵抗を低減するので、スクリーン２を軽い力で開閉できるようになると共に左右のスライダ２０同士のずれによるスクリーン２の捩れを防止できる。
【００２２】
ここで、スクリーン２の自由端５には辺に沿ったボトム部材２２が取り付けられている。このボトム部材２２がスライダ２０に固定されている。ボトム部材２２の両端部にはスクリーン２の幅方向に沿った切り込み２３が形成されている。また、スライダ２０の上面にはボトム部材２２の切り込み２３に左右方向に摺動可能に係合する係合ピン２４が設けられている。そして、この係合ピン２４にボトム部材２２の切り込み２３が係合されているので、ボトム部材２２およびスクリーン２は左右方向に遊びを持ってスライダ２０に保持されるようになる。よって、施工時の取付誤差を吸収することができる。
【００２３】
また、巻取本体部４にはスクリーン２を覆い隠すカバー２５が設けられている。これにより、巻き取ったロールスクリーン２に埃などが付着することを防止する。
【００２４】
上述したロールスクリーン装置１の取り付け手順を以下に説明する。最初に巻取本体部４を取り付け位置に設置する。また、ルーフガイド部６を所望の長さに形成して、既に設置した巻取本体部４に取り付ける。そして、ルーフガイド部６の駆動側ローラ９に操作部７の駆動軸１５を取り付ける。さらに、スクリーン２のボトム部材２２をルーフガイド部６のスライダ２０に取り付ける。
【００２５】
そして、駆動側ローラ９に設けられた駆動側ローラギア１２と巻取軸３に設けられた巻取軸ギア１３との間に中間ギア１３を設ける。最後に巻取本体部４にカバー２５を取り付ける。これにより、ロールスクリーン装置１を設置することができる。
【００２６】
上述したように本実施形態のロールスクリーン装置１によれば、巻取本体部４とルーフガイド部６と操作部７とはそれぞれユニット化したものであるので、ロールスクリーン装置１の施工時には、巻取本体部４を取り付けて、この巻取本体部４にルーフガイド部６を取り付けて、このルーフガイド部６に操作部７を取り付けるという比較的簡易な作業で装置を完成させることができる。よって、従来のような煩雑なワイヤ１０６の張り込み作業が不要になるので、ロールスクリーン装置１の施工性を高めることができる。
【００２７】
なお、上述の形態は本発明の好適な形態の一例ではあるがこれに限定されるものではなく本発明の要旨を逸脱しない範囲において種々変形実施可能である。例えば、本実施形態では操作部７はルーフガイド部６の駆動側ローラ９に取り付けてあるので室外に位置するが、これには限られず室内側に位置するように取り付けても良い。また、操作部７は室内側および室外側のいずれにも取付可能であるようにしても良い。このように、本実施形態のロールスクリーン装置１によれば、巻取本体部４とルーフガイド部６と操作部７とはそれぞれユニット化したものであるので、操作部７の設置位置の自由度を高めることができる。これにより、操作位置の選択も容易になる。
【００２８】
また、上述した実施形態ではルーフガイド部６のスライダ２０は車輪１９とレール１８により摺動可能に支持されているが、これには限られずスライダ２０をベルト８のみにより支持するようにしても良い。この場合も、スライダ２０を摺動させてスクリーン２を開閉することができる。
【００２９】
さらに、上述した実施形態ではルーフガイド部６のスライダ２０はベルト８により摺動可能にされているが、これには限られずワイヤや紐などの索状部材であっても良い。この場合にも、砂２１などがスライダ２０の摺動を妨害することはないのでスクリーン２の円滑な開閉を実現できる。
【００３０】
【発明の効果】
以上説明したように、請求項１記載のロールスクリーン装置によれば、巻取本体部とルーフガイド部と操作部とが各々ユニット化されているので、ロールスクリーン装置の施工時に各ユニットを結合させるという比較的簡易な作業で装置を完成させることができる。このため、従来のような煩雑なワイヤの張り込み作業が不要になるので、ロールスクリーン装置の施工性を高めることができる。
【００３１】
また、請求項２記載のロールスクリーン装置によれば、操作部とスクリーンの自由端とをベルトにより連結しているので、従来のようにワイヤおよびプーリを使用する場合に比べて滑り量を小さくすることができる。このため、スクリーンの左右両側にベルトを設けたときにスクリーンの自由端が斜めになってしまうことを防止して、スクリーンの円滑な開閉を実現できる。
【００３２】
さらに、請求項３記載のロールスクリーン装置によれば、ルーフガイド部内に溜まった砂や埃はレールの脇に落ちるので、車輪とレールとの間に入って来ることは殆ど無く、スライダの移動は常に円滑になる。このため、砂や埃の多い場所で使用しても、これらによるスライダの動作妨害を防止してスクリーンの開閉をスムーズに行うことができる。これにより、スクリーンの左右両側のスライダの摩擦抵抗を低減するので、スクリーンを軽い力で開閉できるようになると共に左右のスライダ同士のずれによるスクリーンの捩れを防止できる。
【００３３】
そして、請求項４記載のロールスクリーン装置によれば、操作部を室内側に取り付けることにより室内から操作できるようになると共に、室外側に取り付けることにより室外で操作できるようになる。
【図面の簡単な説明】
【図１】本発明に係るロールスクリーン装置を示す分解斜視図である。
【図２】スライダを示す斜視図である。
【図３】ルーフガイド部の主要部を示す縦断面図である。
【図４】従来のロールスクリーン装置の主要部を示す側面図である。
【符号の説明】
１　ロールスクリーン装置
２　スクリーン
３　巻取軸
４　巻取本体部
５　自由端
６　ルーフガイド部
７　操作部
８　ベルト
１８　レール
１９　車輪
２０　スライダ
【図１】
2004052460.tif 000003
【図２】
2004052460.tif 000004
【図３】
2004052460.tif 000005
【図４】
2004052460.tif 000006